(57)【要約】【課題】ブラシ毛と接着剤層との接着を強固にするとともに、ブラシ毛の強度を低減し得る静電植毛ブラシ、現像装置、および画像形成装置を実現する。【解決手段】現像剤供給ロール１３は、基材３４の接着剤層３２にブラシ毛３１を静電植毛している。ブラシ毛３１は、中空になっている。【選択図】図１
2009288724.tif 000002
【特許請求の範囲】
【請求項１】
基台の接着剤層にブラシ毛を静電植毛している静電植毛ブラシにおいて、
上記ブラシ毛は、中空になっていることを特徴とする静電植毛ブラシ。
【請求項２】
上記ブラシ毛は、長手方向に対し垂直に切断したときの断面が、輪状またはＣの字状であることを特徴とする請求項１に記載の静電植毛ブラシ。
【請求項３】
上記ブラシ毛は、長手方向の面に中空部と外部とを接続している孔が設けられていることを特徴とする請求項１または２に記載の静電植毛ブラシ。
【請求項４】
上記ブラシ毛は、該ブラシ毛の中空部側の面の面積を内層面積、外側の面の面積と中空部側の面の面積との和を外層面積としたときに、中空率＝（内層面積／外層面積）×１００で示される中空率が５〜５０％であることを特徴とする請求項１〜３のいずれか１項に記載の静電植毛ブラシ。
【請求項５】
静電潜像担持体への現像を行う現像剤担持体に現像剤を供給する現像剤供給ローラを備えている現像装置において、
上記現像剤供給ローラは、請求項１〜４のいずれか１項に記載の静電植毛ブラシにて構成されていることを特徴とする現像装置。
【請求項６】
静電潜像担持体の帯電を行う帯電ブラシを備えている画像形成装置において、
上記帯電ブラシは、請求項１〜４のいずれか１項に記載の静電植毛ブラシにて構成されていることを特徴とする画像形成装置。
【請求項７】
静電潜像担持体における転写後の現像剤の極性をそろえるように帯電を行う現像剤帯電用帯電ブラシを備えている画像形成装置において、
上記現像剤帯電用帯電ブラシは、請求項１〜４のいずれか１項に記載の静電植毛ブラシにて構成されていることを特徴とする画像形成装置。
【請求項８】
静電潜像担持体の表面の除電を行う除電ブラシを備えている画像形成装置において、
上記除電ブラシは、請求項１〜４のいずれか１項に記載の静電植毛ブラシにて構成されていることを特徴とする画像形成装置。
【請求項９】
静電潜像担持体における転写後に残存する現像剤を除去するクリーニングブラシを備えている画像形成装置において、
上記クリーニングブラシは、請求項１〜４のいずれか１項に記載の静電植毛ブラシにて構成されていることを特徴とする画像形成装置。
【請求項１０】
静電潜像担持体の現像を中間転写体へ転写し、その中間転写体から記録媒体への転写後に残存する中間転写体の現像剤を除去するクリーニングブラシを備えている画像形成装置において、
上記クリーニングブラシは、請求項１〜４のいずれか１項に記載の静電植毛ブラシにて構成されていることを特徴とする画像形成装置。
【請求項１１】
静電潜像担持体における転写後に残存する現像剤を除去するとともに、固体潤滑剤を該静電潜像担持体の表面に塗布する固体潤滑剤供給兼用クリーニングブラシを備えている画像形成装置において、
上記固体潤滑剤供給兼用クリーニングブラシは、請求項１〜４のいずれか１項に記載の静電植毛ブラシにて構成されていることを特徴とする画像形成装置。
【請求項１２】
静電潜像担持体の現像剤像を記録媒体に転写する転写ブラシを備えている画像形成装置において、
上記転写ブラシは、請求項１〜４のいずれか１項に記載の静電植毛ブラシにて構成されていることを特徴とする画像形成装置。
【発明の詳細な説明】
【技術分野】
【０００１】
本発明は、プリンタ、複写機、ファクシミリ等の電子写真方式の画像形成装置において例えば帯電・除電、または現像剤の供給・クリーニング等に使用される静電植毛ブラシ、および現像装置に関するものである。
【背景技術】
【０００２】
従来、プリンタ、複写機、ファクシミリ等の電子写真方式を採用する画像形成装置の現像装置として、例えば、特許文献１に開示された現像装置がある。
【０００３】
この特許文献１に開示された現像装置１００は、図１１に示すように、ケーシング１０１内に、トナー１０２を表面に担持して感光体１１１に該トナー１０２を供給する現像ローラ１０３と、この現像ローラ１０３上にトナー１０２を供給するトナー供給ローラ１０４と、現像ローラ１０３に当接して現像ローラ１０３上に供給されたトナー１０２の帯電を行ない、トナー１０２の均一薄層を形成するトナー規制ブレード１０５とを有している。
【０００４】
また、特許文献２には、図１２に示すように、ブラシ繊維２０７を植毛保持するための接着剤層２０６を設け、ブラシ繊維２０７の根元側部位に接着剤層２０６の表面よりもブラシ繊維２０７の先端側にブラシ繊維２０７に沿って接着剤が立ち上がり形成されているファーブラシ現像ローラが開示されている。
【特許文献１】特開昭６３−１５５０６９号公報（１９８８年６月２８日公開）
【特許文献２】特開平１０−９７１３５号公報（１９９８年４月１４日公開）
【発明の開示】
【発明が解決しようとする課題】
【０００５】
しかしながら、上記従来の構成では、以下のような問題を生じる。すなわち、上記特許文献１に記載の構成では、ブラシ毛（ブラシ繊維）の外周部および底部で接着剤層と接着しているのみなので接着強度が弱く、ブラシ毛が抜けやすい。特に、ブラシ毛が細繊度になると接着面積が少なくなるため、接着強度がさらに弱くなる。また、特許文献２では、ブラシ毛に沿って、接着剤が立ち上がり形成されているが、ブラシ毛の外周部および底部でのみ接着されていることには変わりがなく、接着強度は弱い。よって、ブラシ毛が抜けやすい。
【０００６】
また、従来のブラシ毛では、ブラシ毛が固いことにより、ブラシ毛と接触する部材を傷めるという弊害があった。特に、静電植毛では、ブラシ毛が短いため、より固くなる傾向があった。
【０００７】
本発明は、上記の問題点に鑑みてなされたものであり、その目的は、ブラシ毛と接着剤層との接着を強固にするとともに、ブラシ毛の強度を低減し得る静電植毛ブラシ、現像装置、および画像形成装置を実現することにある。
【課題を解決するための手段】
【０００８】
上記課題を解決するために、本発明に係る静電植毛ブラシは、基台の接着剤層にブラシ毛を静電植毛している静電植毛ブラシにおいて、上記ブラシ毛は、中空になっていることを特徴としている。
【０００９】
上記の構成によれば、静電植毛ブラシのブラシ毛が中空になっている。これにより、ブラシ毛と接着剤層とが接着するときに、ブラシ毛の外側の面と底面だけでなく、ブラシ毛の中空となっている側の面が、ブラシ毛と接着剤層との接着面となる。よって、ブラシ毛と接着剤層との接着面積が大きくなり、ブラシ毛を接着剤層に、より強固に接着することができる。
【００１０】
また、静電植毛ブラシのブラシ毛が中空になっているので、ブラシ毛の中身がつまっている（中実）場合と比較して、ブラシ毛を柔らかくすることができる。すなわち、短くても柔らかいブラシ毛を実現できる。よって、ブラシ毛と接触する部材を傷める可能性を低くすることができる。
【００１１】
例えば、静電植毛ブラシが現像ローラの場合、ブラシが接触する感光体を傷める可能性を低くすることができる。
【００１２】
本発明に係る静電植毛ブラシでは、上記ブラシ毛は、長手方向に対し垂直に切断したときの断面が、輪状およびＣの字状のいずれか一方であることが好ましい。
【００１３】
このように、ブラシ毛の断面を輪状またはＣの字状とすることによって、中空を形成し易い簡単な構成でブラシ毛の内部を均一に中空とすることができる。
【００１４】
本発明に係る静電植毛ブラシでは、上記ブラシ毛は、長手方向の面に中空部と外部とを接続している孔が設けられているものであってもよい。
【００１５】
上記の構成によれば、ブラシ毛は、長手方向の面に中空部と外部とを接続している孔が設けられる。これにより、中空部の空気を容易に抜くことができるので、ブラシ毛の中空部への粉状物（例えば、現像剤）の出入りを容易にすることができる。
【００１６】
例えば、静電植毛ブラシが現像剤供給ローラの場合、現像剤をブラシ毛の外側の面だけでなく中空部側の面に容易に入れることができ、また、容易に出すことができる。そして、これにより、より多くの現像剤を送り出すことが可能となる。
【００１７】
本発明に係る静電植毛ブラシでは、上記ブラシ毛は、該ブラシ毛の中空部側の面の面積を内層面積、外側の面の面積と中空部側の面の面積との和を外層面積としたときに、中空率＝（内層面積／外層面積）×１００で示される中空率が５〜５０％であってもよい。
【００１８】
上記の構成とすることによって、ブラシ毛と接着剤層との接着面積の増大機能と、ブラシ毛を柔らかくする機能との両方を適切に満たすことができる。
【００１９】
本発明の現像装置は、上記静電植毛ブラシを現像剤供給ローラとして備えているので、上述した効果を奏することができる。
【００２０】
本発明の画像形成装置は、上記静電植毛ブラシを帯電ブラシとして備えているので、上述した効果を奏することができる。
【００２１】
本発明の画像形成装置は、上記静電植毛ブラシを現像剤帯電用帯電ブラシとして備えているので、上述した効果を奏することができる。
【００２２】
本発明の画像形成装置は、上記静電植毛ブラシを除電ブラシとして備えているので、上述した効果を奏することができる。
【００２３】
本発明の画像形成装置は、上記静電植毛ブラシをクリーニングブラシとして備えているので、上述した効果を奏することができる。
【００２４】
本発明の画像形成装置は、上記静電植毛ブラシを固体潤滑剤供給兼用クリーニングブラシとして備えているので、上述した効果を奏することができる。
【００２５】
本発明の画像形成装置は、上記静電植毛ブラシを転写ブラシとして備えているので、上述した効果を奏することができる。
【発明の効果】
【００２６】
以上のように、本発明に係る静電植毛ブラシは、ブラシ毛は、中空になっている構成である。
【００２７】
また、本発明の現像装置は、上記現像剤供給ローラが、上記記載の静電植毛ブラシにて構成されている。
【００２８】
それゆえ、ブラシ毛と接着剤層との接着を強固にするとともに、ブラシ毛の強度を低減し得る静電植毛ブラシ、現像装置、および画像形成装置を実現するという効果を奏する。
【発明を実施するための最良の形態】
【００２９】
本発明の一実施形態について図１から図１０に基づいて説明すれば、以下の通りである。
【００３０】
図４は、本実施の形態の現像装置を備えた画像形成装置における画像形成部の構造を模式的に示す正面図である。
【００３１】
なお、画像形成装置は、画像形成装置が備えるスキャナにて読み込まれたデータや、画像形成装置に接続された外部機器（例えば、パーソナルコンピュータ等の画像処理装置）からのデータを画像として出力するものである。
【００３２】
図４に示すように、画像形成部３０は、感光体ドラム１と、帯電ブラシ２と、露光装置３と、現像装置１０と、転写ブラシ４と、搬送ベルト５と、クリーニング装置２０と、図示しない除電手段とを備えており、感光体ドラム１の周囲に、回転方向に沿って、帯電ブラシ２、露光装置３、現像装置１０、転写ブラシ４及び搬送ベルト５、クリーニング装置２０、及び除電手段をこの順序で配置した構成となっている。
【００３３】
感光体ドラム１は、画像形成装置における本発明の静電潜像担持体となるものであり、円柱形状を有している。
【００３４】
帯電ブラシ２は、感光体ドラム１と物理的に接触して、感光体ドラム１の表面を一様に所定の電位まで帯電させるためのものである。帯電ブラシ２は、感光体ドラム１と互いの回転軸を平行にして隣接対向して設置されている。
【００３５】
露光装置３は、帯電ブラシ２によって帯電された感光体ドラム１の表面を、例えばパーソナルコンピュータ等の画像処理装置からのデータに基づき、レーザ光等により露光して、感光体ドラム１の表面に静電潜像を形成させるためのものである。露光装置３として、例えば半導体レーザや発光ダイオードを用いることができる。
【００３６】
現像装置１０は、感光体ドラム１の表面に現像剤を供給し、感光体ドラム１の表面に形成された静電潜像を現像剤像として顕像化するつまり現像するためのものである。この現像装置１０については、後で詳述する。
【００３７】
搬送ベルト５は、感光体ドラム１の表面に現像剤像が形成された後に、ＰＰＣ（Plain Paper Copy）用紙等の記録媒体６を感光体ドラム１に運搬するためのものである。
【００３８】
転写ブラシ４は、感光体ドラム１の表面の現像剤像を、記録媒体６に転写するためのものである。転写ブラシ４は、板金に、板金と接する面を底面とした見かけ上直方体のブラシ体を貼り付けた固定型ブラシである。転写ブラシ４は、例えば、パイル織り生地からなり、板金の上にブラシ毛を板金の面方向に垂直な方向に起毛したものである。転写ブラシ４は、板金の面方向と記録媒体６の面方向とを平行にして、搬送ベルト５を間に挟んで感光体ドラム１と隣接対向するように設置されている。
【００３９】
クリーニング装置２０は、クリーニングブラシ（固体潤滑剤供給兼用クリーニングブラシ）２１と、固体潤滑剤供給装置２２と、クリーニングブレード２３とを備えており、感光体ドラム１の表面に残留した現像剤や紙粉等を除去するためのものである。
【００４０】
クリーニングブラシ２１は、感光体ドラム１と物理的に接触して、感光体ドラム１の表面に残留した現像剤や紙粉等を除去するためのものである。また、クリーニングブラシ２１は、例えば、固体潤滑剤塗布ブラシとしての機能を兼ねており、固体潤滑剤供給装置２２から供給される固体潤滑剤を、感光体ドラム１の表面に塗布するためのものである。クリーニングブラシ２１は、円柱形状の基材にブラシ毛を起毛したロール型ブラシであり、感光体ドラム１の回転軸方向と円柱形状の基材の軸方向とを互いに平行にして、感光体ドラム１に隣接対向するように設置されている。
【００４１】
クリーニングブレード２３は、感光体ドラム１の表面に残留した現像剤や紙粉等を物理的に掻き落とすためのものである。クリーニングブレード２３は、感光体ドラム１の回転方向に沿って、クリーニングブラシ２１の後側に備えられ、感光体ドラム１の表面に残留した現像剤や紙粉等を均一に除去するために、感光体ドラム１の法線方向に対して鋭角に摺接している。
【００４２】
固体潤滑剤供給装置２２は、クリーニングブラシ２１及びクリーニングブレード２３によるクリーニング効率を高くするためのものである。固体潤滑剤供給装置２２は、固体潤滑剤を、クリーニングブラシ２１を介して、感光体ドラム１の表面に塗布する。また、固体潤滑剤供給装置２２は、クリーニングブラシ２１に固体潤滑剤が均一に塗布されるように、クリーニングブラシ２１のシャフトの軸方向に広がった略四角柱の形状を有している。固体潤滑剤供給装置２２は、クリーニングブラシ２１の表面全体に固体潤滑剤が行き渡るように、クリーニングブラシ２１と隣接対向して設置されている。使用する固体潤滑剤としては、ステアリン酸亜鉛等が挙げられる。
【００４３】
除電手段は、感光体ドラム１の表面を除電するためのものである。除電手段としては、例えば除電ブラシ等が挙げられる。
【００４４】
上記構成の画像形成装置において、画像を形成する動作を、図３に基づいて説明すると、以下の通りである。
【００４５】
感光体ドラム１の表面は、帯電ブラシ２と接触することにより、均一に帯電する。表面が帯電された感光体ドラム１は、露光装置３によって、データに基づき露光され、感光体ドラム１の表面に静電潜像が形成される。そして、現像装置１０の現像ロール１２により、感光体ドラム１の表面に現像剤が供給され、感光体ドラム１の表面の静電潜像が、現像されて顕像化される。
【００４６】
続いて、搬送ベルト５によって記録媒体６が感光体ドラム１へ運搬され、転写ブラシ４によって、感光体ドラム１の表面の現像剤像が、記録媒体６に転写される。転写後の感光体ドラム１は、固体潤滑剤が表面に塗布されたクリーニングブラシ２１によって、表面に固体潤滑剤が塗布され、残留した現像剤や紙粉等が、クリーニングブラシ２１及びクリーニングブレード２３によって除去される。最後に図示しない除電手段により、感光体ドラム１の表面が除電される。このようなサイクルで画像形成は行われる。
【００４７】
次に、本実施の形態の現像装置１０の詳細について、図２に基づいて以下に説明する。
【００４８】
まず、本実施の形態の現像装置１０では、非磁性１成分トナーからなる現像剤が使用されており、いわゆる非磁性１成分現像方式を採用している。この現像方式は、磁性１成分トナーに対して透明性の高い非磁性１成分トナーが使用できるのでフルカラーの現像に適していると共に、現像ロール１２に磁石を用いない点で画像形成装置の小型軽量化に対して非常に有利である。特に、近年開発が盛んになっている小型のパーソナル用複写機、プリンタ、及び普通紙ファックス、並びにフルカラー複写機、フルカラープリンタに対してはこの現像方法を用いる例が多くなってきている。
【００４９】
図３に示すように、現像装置１０は、現像剤容器１１内に、現像剤担持体としての現像ロール１２と現像剤供給部材としての現像剤供給ロール１３と現像剤規制ブレード１４とを備えており、感光体ドラム１の表面に現像剤Ｔを供給し、感光体ドラム１の表面に形成された静電潜像を現像剤像として顕像化するつまり現像する。
【００５０】
上記現像ロール１２は、感光体ドラム１と物理的に接触して、現像剤供給ロール１３から供給される現像剤を感光体ドラム１の表面に供給するためのものである。現像ロール１２は、円柱形状を有しており、感光体ドラム１と互いの回転軸を平行にして隣接対向するように設置されている。
【００５１】
上記現像剤供給ロール１３は、現像ロール１２と物理的に接触して、現像ロール１２に現像剤を供給するためのものであり、現像剤を保持すると共に、現像剤を現像ロール１２の表面に供給する。現像剤供給ロール１３は、例えば、円柱形状の基材にブラシ毛を起毛したロール型ブラシからなっている。現像剤供給ロール１３は、現像ロール１２の回転軸方向と円柱形状の基材の軸方向とを互いに平行にして、現像ロール１２に隣接対向するように設置されている。
【００５２】
上記現像剤規制ブレード１４は、現像ロール１２に当接して現像ロール１２上に供給された現像剤Ｔの帯電を行ない、現像剤Ｔの均一薄層を形成する。
【００５３】
上記構成の現像装置１０では、送り羽根１６によって現像ロール１２近傍に送り込まれた現像剤Ｔは、現像剤供給ロール１３で現像ロール１２に塗布され、現像剤規制ブレード１４で薄層化された後に、感光体ドラム１との接触部分で感光体ドラム１の潜像の現像に用いられる。そして、現像残りの現像剤Ｔは再度現像装置１０内に戻り、撹乱が行われた後、現像剤供給ロール１３によって現像ロール１２から剥離されて現像装置１０内の現像剤Ｔと混合される。
【００５４】
ここで、本実施の形態の特徴である、現像剤供給ロール（静電植毛ブラシ）１３のブラシ毛３１について説明する。図１は、現像剤供給ロール１３の円柱形上の基材（基台）３４に接着剤層３２を備え、ブラシ毛３１が接着されている状態を示す現像剤供給ロール１３の断面図である。また、図２は、ブラシ毛３１を示す図である。
【００５５】
従来は、図１２に示すようにブラシ繊維２０７は、中身までつまっている（中実）ものである。よって、ブラシ繊維２０７は接着剤層２０６とブラシ繊維２０７の外周部および底部でのみ接着する。よって、ブラシ繊維２０７と接着剤層２０６との接着面積が少なく、接着力が弱い。特に、ブラシ繊維２０７が細繊度になればなるほど、接着面積は少なくなるので、接着力が弱くなる。そして、接着力が弱いためにブラシ繊維２０７が抜けやすい。
【００５６】
また、ブラシ繊維２０７は中実であるので、剛性やトルクが高く、現像ローラのブラシとして用いた場合、感光体を傷めるおそれがある。特に、静電植毛では、ブラシ毛（ブラシ繊維）の長さを５ｍｍ程度以下にする必要があり、ブラシ毛の長さが短いために固くなりやすい。
【００５７】
本実施の形態のブラシ毛３１は、上記問題点を解決するために、図１に示すように、ブラシ毛３１を中空のストロー上にしたものである。ブラシ毛３１を中空のストロー状にすることにより、ブラシ毛３１と接着剤層３２との接着面が、ブラシ毛３１の外周部、底部、および中空部の側面となる。これにより、ブラシ毛３１と接着剤層３２との接着面積が大きくなり、ブラシ毛３１と接着剤層３２とのより強固な接着が可能となる。
【００５８】
また、ブラシ毛３１の中空部は、毛細管現象により接着剤層３２の接着剤が接着剤層３２の表面に比べて盛り上がるので、ブラシ毛３１と接着剤層３２とは、さらにより強固に接着される。
【００５９】
さらに、ブラシ毛３１は中空なので、中実のブラシ毛と比較して、剛性、トルクともに小さい。よって、ブラシ毛３１を現像剤供給ロール１３に用いることにより、中実のブラシ毛を用いるよりも、現像ロール１２を傷める可能性を低くすることができる。
【００６０】
また、ブラシ毛３１の側面には、図２にも示すように、外と中空部とをつなぐ孔３３が１ヶ所以上設けられている。そして、ブラシ毛３１を現像剤供給ロール１３に用いた場合、この孔３３によりブラシ毛３１の中空部の空気を抜くことができるので、現像剤がブラシ毛３１の表面だけでなく、ブラシ毛３１の中空部にも入りやすく、そして出やすくなる。これにより、現像剤の供給量を増やすことができ、現像ロール１２のスピードアップを図ることができる。
【００６１】
なお、ブラシ毛３１は上述したストロー状（円筒形状）に限られるものではなく、他の形状であってもよい。図５（ａ）〜（ｄ）に、ブラシ毛３１の形状の例を示す。
【００６２】
図５（ａ）（ｂ）は、ストロー状（円筒形状）のブラシ毛３１を示し、図５（ａ）と比較して図５（ｂ）は、中の空洞が大きい場合を示す。図５（ｃ）は、ブラシ毛３１を長手方向に対し垂直に切断したときの断面が「Ｃの字形状」となるものである。図５（ｄ）は、ブラシ毛３１を長手方向に対し垂直に切断した時の断面が「井の字形状」となるものである。
【００６３】
次に、ブラシ毛３１をブラシに植毛する方法について図６（ａ）（ｂ）に基づいて説明する。
【００６４】
本実施の形態では、ブラシ毛３１は、静電植毛方法を用いている。したがって、ブラシ毛３１を現像剤供給ブラシ等のブラシに植毛するときには、図６（ａ）に示すように、金属管等の基材３４に接着剤（接着剤層３２）を塗布する。この接着剤（接着剤層３２）の塗布方法については、例えば、スクリーン印刷や、インクジェット方式による塗布が可能である。
【００６５】
次いで、所定の立毛長さにしたブラシ毛３１の群をこの接着剤層３２の対向位置に配置し、高圧静電界を印加する。これにより、図６（ｂ）に示すように、ブラシ毛３１が静電吸引力によって金属管等の基材３４に引き寄せられ、金属管等の基材３４の表面である接着剤（接着剤層３２）の塗布面に垂直にブラシ毛３１が突き刺さる。
【００６６】
なお、本発明の静電植毛ブラシは、上記の実施の形態に限定されるものではなく、本発明の範囲内で種々の変更が可能である。
【００６７】
例えば、現像剤の供給用に使用される現像剤供給ブラシ（現像剤供給ロール１３）およびクリーニングブラシ２１に限らず、他の用途にも使用できる。
【００６８】
具体的には、本発明の静電植毛ブラシは、感光体ドラム１の帯電に用いられる帯電ブラシ２、または近年のクリーナレスの感光体ドラム１における現像剤の帯電ブラシ、転写後のクリーニングを行いやすくするために現像剤（トナー）の極性をそろえる現像剤帯電用帯電ブラシ、除電ブラシ、感光体に残存する現像剤の除去を行うクリーニングブラシ、図示しない中間転写体に残存している現像剤を除去するクリーニングブラシ、および転写ブラシ４に適用することも可能である。
【実施例】
【００６９】
本実施の形態のブラシ毛３１における、接着強度と硬さ（剛性、トルク）の効果を確認するための実験を行った。図７（ａ）〜（ｃ）に、ブラシ毛３１の効果を確認するために行った実験方法を示す。なお、以下の実験において、図７（ａ）に示すように、中空率は、“中空率＝内層面積／外層面積”（内層面積＝ブラシ毛３１の中空部側の面の面積、外層面積＝ブラシ毛３１の外側の面の面積と中空部側の面の面積との和）で求めた。また、使用したブラシ毛３１は、導電性ナイロンで繊度６Ｔ（デシテックス）、パイル長（ブラシ毛３１の長さ）１．５ｍｍで、接着剤の厚みは、２００μｍである。なお、デシテックス（Ｔ）とは、「長さ１０，０００ｍの繊維（糸）の重さがＮグラムであるとき、その繊維（糸）はＮデシテックス（Ｔ）である」と定義される。
【００７０】
接着強度の測定は、図７（ｂ）に示すように、ロードセルにブラシ毛３１を接着した測定対象物を載せ、ブラシ毛３１を上方向に持ち上げた時の加重変化量を測定する方法で行った。そして、ロードセルで測定された荷重の最小値を接着強度とした。この結果を図８に示す。図８は、ブラシ毛３１の中空率と接着強度との関係を示す図である。
【００７１】
図８において、縦軸は接着強度（ブラシ毛１本あたりの持ち上げられた重さ）を示し、横軸は中空率を示す。図８に示すように、中空率が上がるにつれて、接着強度が上昇している。よって、中空率が上がると接着強度も上がることが分かる。
【００７２】
また、剛性の測定は、図７（ｃ）に示すように、ブラシ毛３１を備えたブラシを回転させながら、ブラシ毛３１の先端をロードセルに接触させ、ロードセルにかかる負荷を測定する方法で行った。なお、ブラシ毛３１の先端０．２ｍｍがロードセルに接触するようにした。この結果を図９に示す。図９は、ブラシ毛３１の中空率と剛性との関係を示す図である。
【００７３】
図９において、縦軸は剛性を示し、横軸は中空率を示す。図９に示すように、中空率が上がるにつれて、剛性が低下している。よって、中空率が上がると剛性は低下することが分かる。
【００７４】
また、トルクの測定については、以下の方法によって行った。非磁性１成分トナーからなる現像剤を収容した現像装置１０内において、現像ロール１２に現像剤供給ロール１３のブラシ毛３１を所定量、食い込ませた後、現像剤規制ブレード１４を現像ロール１２に接触させる。そして、この状態において、現像剤供給ロール１３を回転させるときの総和の回転トルクを測定した。そして、この方法で測定した回転トルクを、本実施例のトルクの測定値とした。この結果を図１０に示す。図１０は、ブラシ毛３１の中空率とトルクとの関係を示す図である。
【００７５】
図１０は、縦軸はトルクを示し、横軸は中空率を示す。図１０に示すように、中空率が上がるにつれて、トルクが低下している。よって、中空率が上がるとトルクは低下することが分かる。
【００７６】
以上の結果から、中空率があがると、接着強度はあがり、剛性およびトルクは低下することが分かる。よって、中空のブラシ毛は、中実（中空率０％）のブラシ毛と比較して、より接着強度が強く、剛性およびトルク等の固さは、より柔らかいということが分かる。
【００７７】
また、中空率が５〜５０％程度であれば、中空率が零（すなわち、中実）の場合と比較して、接着強度は上がり、剛性、トルクは低下している。よって、中空率が５〜５０％程度であれば、上述した効果を奏することができることが分かる。
【産業上の利用可能性】
【００７８】
ブラシ毛が基材の接着剤層と強固に接着しているので、プリンタ、複写機、ファクシミリ等の画像形成装置のブラシに好適である。
【図面の簡単な説明】
【００７９】
【図１】本発明の実施の形態を示すものであり、ブラシ毛が接着されている状態を示す現像剤供給ロールの断面図である。
【図２】上記実施の形態における、ブラシ毛を示す斜視図である。
【図３】上記実施の形態における、現像装置の構成を示す断面図である。
【図４】上記現像装置を備えた画像形成装置の画像形成部を示す全体構成図である。
【図５】（ａ）〜（ｄ）は、上記実施の形態における、ブラシ毛の例を示す図である。
【図６】上記実施の形態における、静電植毛ブラシの製造方法を示すものであり、（ａ）は、ブラシ毛が接着する前を示す断面図、（ｂ）は、ブラシ網が接着した後の断面図である。
【図７】上記実施の形態における、ブラシ毛の効果を確認するための実験方法を示すものであり、（ａ）は中空率の計算方法を示す斜視図、（ｂ）は接着強度を測定するための実験方法を示す図、（ｃ）はブラシ毛の剛性を測定するための実験方法を示す図である。
【図８】上記実施の形態における、ブラシ毛の中空率と接着強度との関係を調べる実験結果を示すグラフである。
【図９】上記実施の形態における、ブラシ毛の中空率と剛性との関係を調べる実験結果を示すグラフである。
【図１０】上記実施の形態における、ブラシ毛を用いた現像剤供給ロールを回転させたときのブラシ毛の中空率とトルクとの関係を調べる実験結果を示すグラフである。
【図１１】従来の現像装置の構成を示す断面図である。
【図１２】従来のブラシ繊維の接着方法を示す断面図である。
【符号の説明】
【００８０】
１    感光体ドラム（静電潜像担持体）
２    帯電ブラシ
４    転写ブラシ
１０    現像装置
１２    現像ロール
１３    現像剤供給ロール（静電植毛ブラシ）
２１    クリーニングブラシ（固体潤滑剤供給兼用クリーニングブラシ）
３１    ブラシ毛
３２    接着剤層
３３    孔
３４    基材（基台）
【図１】
2009288724.tif 000003
【図２】
2009288724.tif 000004
【図３】
2009288724.tif 000005
【図４】
2009288724.tif 000006
【図５】
2009288724.tif 000007
【図６】
2009288724.tif 000008
【図７】
2009288724.tif 000009
【図８】
2009288724.tif 000010
【図９】
2009288724.tif 000011
【図１０】
2009288724.tif 000012
【図１１】
2009288724.tif 000013
【図１２】
2009288724.tif 000014
【手続補正書】
【提出日】平成21年4月1日(2009.4.1)
【手続補正１】
【補正対象書類名】特許請求の範囲
【補正対象項目名】全文
【補正方法】変更
【補正の内容】
【特許請求の範囲】
【請求項１】
基台の接着剤層にブラシ毛を静電植毛している静電植毛ブラシにおいて、
上記ブラシ毛は、中空になっており、
上記ブラシ毛は、長手方向の面に中空部と外部とを接続している孔が設けられていることを特徴とする静電植毛ブラシ。
【請求項２】
上記ブラシ毛は、長手方向に対し垂直に切断したときの断面が、輪状またはＣの字状であることを特徴とする請求項１に記載の静電植毛ブラシ。
【請求項３】
上記ブラシ毛は、該ブラシ毛の中空部側の面の面積を内層面積、外側の面の面積と中空部側の面の面積との和を外層面積としたときに、中空率＝（内層面積／外層面積）×１００で示される中空率が５〜５０％であることを特徴とする請求項１または２に記載の静電植毛ブラシ。
【請求項４】
静電潜像担持体への現像を行う現像剤担持体に現像剤を供給する現像剤供給ローラを備えている現像装置において、
上記現像剤供給ローラは、請求項１〜３のいずれか１項に記載の静電植毛ブラシにて構成されていることを特徴とする現像装置。
【請求項５】
静電潜像担持体の帯電を行う帯電ブラシを備えている画像形成装置において、
上記帯電ブラシは、請求項１〜３のいずれか１項に記載の静電植毛ブラシにて構成されていることを特徴とする画像形成装置。
【請求項６】
静電潜像担持体における転写後の現像剤の極性をそろえるように帯電を行う現像剤帯電用帯電ブラシを備えている画像形成装置において、
上記現像剤帯電用帯電ブラシは、請求項１〜３のいずれか１項に記載の静電植毛ブラシにて構成されていることを特徴とする画像形成装置。
【請求項７】
静電潜像担持体の表面の除電を行う除電ブラシを備えている画像形成装置において、
上記除電ブラシは、請求項１〜３のいずれか１項に記載の静電植毛ブラシにて構成されていることを特徴とする画像形成装置。
【請求項８】
静電潜像担持体における転写後に残存する現像剤を除去するクリーニングブラシを備えている画像形成装置において、
上記クリーニングブラシは、請求項１〜３のいずれか１項に記載の静電植毛ブラシにて構成されていることを特徴とする画像形成装置。
【請求項９】
静電潜像担持体の現像を中間転写体へ転写し、その中間転写体から記録媒体への転写後に残存する中間転写体の現像剤を除去するクリーニングブラシを備えている画像形成装置において、
上記クリーニングブラシは、請求項１〜３のいずれか１項に記載の静電植毛ブラシにて構成されていることを特徴とする画像形成装置。
【請求項１０】
静電潜像担持体における転写後に残存する現像剤を除去するとともに、固体潤滑剤を該静電潜像担持体の表面に塗布する固体潤滑剤供給兼用クリーニングブラシを備えている画像形成装置において、
上記固体潤滑剤供給兼用クリーニングブラシは、請求項１〜３のいずれか１項に記載の静電植毛ブラシにて構成されていることを特徴とする画像形成装置。
【請求項１１】
静電潜像担持体の現像剤像を記録媒体に転写する転写ブラシを備えている画像形成装置において、
上記転写ブラシは、請求項１〜３のいずれか１項に記載の静電植毛ブラシにて構成されていることを特徴とする画像形成装置。